(57)【要約】      （修正有）【課題】取り付けおよび収納が簡単であり、組立の安定性を有すると共に車体を破損しないカーサンシェードを提供する。【解決手段】サンシェード本体１と複数のマグネット部材２とを備える。該サンシェード本体１は環状金属枠１１を有する。該金属枠１１に日よけメッシュ１２が設けられている。また、該各マグネット部材２は、対向する第１面と第２面とを有する。該第１面の吸着力が第２面より大きい。これを介して該各マグネット部材の吸着力が比較的強い第１面は、車窓の周縁表面の適切な位置と安定的に吸着して位置することができる。また該サンシェード本体１の金属枠１１は、マグネット部材２の第２面と吸着することで車窓位置に位置して日除け効果を有する。【選択図】図１
0003192197.tif 000002
【実用新案登録請求の範囲】
【請求項１】
日よけメッシュと接合する金属枠を有するサンシェード本体と、
互いに対向する第１面と第２面とを有し、前記第１面の吸着力が前記第２面の吸着力より大きく、前記第１面が車窓の周縁表面に安定的に吸着可能であり、前記第２面が金属枠に吸着可能である複数のマグネット部材と、
を備えることを特徴とするカーサンシェード。
【請求項２】
前記マグネット部材は、磁石と被覆体とを有し、
前記磁石は、互いに対向する両面を有し、一方の面が車窓の周縁表面と吸着し吸着力が比較的強い第１面であり、他方の面が前記被覆体と結合し吸着力が前記第１面より小さい第２面であることを特徴とする請求項１に記載のカーサンシェード。
【請求項３】
前記被覆体は、蓋状であり、頂面、前記頂面の周縁から下方に向かって延伸する側面、下方が前記磁石を収容可能な中空の収容溝、および、前記収容溝の下方に形成されている開口部を有し、
前記磁石は、前記被覆体の前記収容溝内に固設されていることを特徴とする請求項２に記載のカーサンシェード。
【請求項４】
前記被覆体の側面は、誘導傾斜角度を有することを特徴とする請求項３に記載のカーサンシェード。
【請求項５】
前記マグネット部材は、滑りとめ片を更に有し、
前記滑りとめ片は、前記被覆体の前記頂面の厚さを下回る厚さを有し、前記第１面に対応する前記磁石の表面に固設されていることを特徴とする請求項３に記載のカーサンシェード。
【請求項６】
前記滑りとめ片は、前記磁石の表面および前記被覆体の側面底部に同時に接合可能であり、前記収容溝の前記開口部に密着可能であることを特徴とする請求項５に記載のカーサンシェード。
【考案の詳細な説明】
【技術分野】
【０００１】
本考案は、カーサンシェードに関する。
【背景技術】
【０００２】
従来のカーサンシェードは、一般的な車体に適用できるため、車窓位置に取り付けや取り外しの便宜を図った構造を備える。該カーサンシェードは、主にサンシェード本体と定位装置からなり、且つ該サンサンシェード本体もフレキシブルに湾曲する金属枠と接合した日よけメッシュを有し、使用しない時金属枠を折畳むことで収納体積が減り、また金属枠を開いて日除けとして使用できる。
【０００３】
該定位装置は、サンシェード本体を車窓に定位させることができる。該定位装置は、様々な異なる構造形態があり、例えば定位装置がサンシェード本体と固着する複数の吸盤を備え、サンシェード本体が吸盤で車窓の上に吸着して定位できる。しかしながら、該設計は長時間使用した後で車窓に吸盤の跡が残りやすく、且つ該吸盤或いは車窓の表面に水分がある時吸盤の吸着定位が堅固とならない欠点が起きてしまう。
【０００４】
また該定位装置は、吸盤の使用により吸盤の跡が残ると共に堅牢性が悪い欠点を避けるため、マグネット式設計を備える。例えば特許文献１のサンシェードの定位装置は、複数の支持金具を備え、該支持金具の側面に磁性体が設けられ、且つ支持金具の底部に粘着シートが設けられ、該支持金具を粘着シートによって車窓の周縁表面に固定させ、遮光シートの枠が該磁性体と吸着することで車窓位置に固定できる。
【０００５】
しかしながら、前記組立方式は、車窓の周縁表面に取れにくい接着剤の跡が残り、車体表面が破損され、且つ該支持金具が車体に接着された後、取り外して別の車体に組み立て使用することが困難で、適用性が悪いという欠点がある。
【０００６】
次に、特許文献２のサンシェードでは、その定位装置が鉄製環状枠体の周縁部にマグネット部材を嵌設して該マグネット部材が直接車窓周縁の金属部位と吸着して定位させ、使用における利便性という効果を奏することができる。
【０００７】
しかしながら、前記構造は、鉄製環状枠体自体にマグネット部材を設けるため、該マグネット部材の位置が湾曲できなくなり、また該鉄製環状枠体が湾曲して折畳みにくい及び収納の不便という欠陥が起きる。また該サンシェードを大面積の車後ろ窓に使用する場合、該設計では更に車内に収納しにくいという欠点が起きる。
【先行技術文献】
【特許文献】
【０００８】
【特許文献１】台湾実用新案登録番号第Ｍ３５９４３５号明細書
【特許文献２】台湾実用新案登録番号第Ｍ４１３６０７号明細書
【考案の概要】
【考案が解決しようとする課題】
【０００９】
本考案は上記従来の問題に鑑みてなされたものであり、その目的は取り付けおよび収納が簡単であり、組立の安定性を有すると共に車体を破損しないカーサンシェードを提供することにある。
【課題を解決するための手段】
【００１０】
本考案によるカーサンシェードは、サンシェード本体と複数のマグネット部材とを備える。該サンシェード本体は環状の金属枠を有し、該金属枠に日よけメッシュが設けられている。各マグネット部材は、たがいに対向する第１面と第２面とを有する。該第１面の吸着力が第２面の吸着力より大きい。これを介して該各マグネット部材の吸着力が比較的強い第１面は、車窓の周縁表面の適切な位置に安定的に吸着して定位可能である。且つ接着剤を必要とすることなく固定できるため、好ましい取り付けの利便性を有し、車体表面を破損することはない。また該サンシェード本体の金属枠は、マグネット部材の第２面と吸着することで車窓位置に定位して日除け効果を有し、且つサンシェード本体とマグネット部材の第２面の吸着力がマグネット部材の第１面と車窓の周縁表面の吸着力より小さいため、夜間或いはその他の状態でサンシェード本体を取り外した時、該マグネット部材は、やはり車窓の周縁表面に安定的に吸着可能であり、サンシェード本体と伴って取り出すことはなく、サンシェード本体の取り付け及び取り外しの利便性を有することができる。
【００１１】
好しくは、該マグネット部材は、磁石と被覆体とを含む。該磁石は、対向する両面を有する。一方の面は車窓の周縁表面を吸着して吸着力が比較的強い第１面であり、他方の面は被覆体を結合して吸着力が第１面より小さい第２面である。またサンシェード本体の金属枠が被覆体の表面位置と吸着し、サンシェード本体を取り外した時、該磁石がやはり安定的に車窓の周縁表面位置に固定されている。
【００１２】
好しくは、該被覆体は、蓋状体とすることができる。該被覆体は、頂面を有し、頂面の周縁から下方に向かって延伸する側面を有し、下方が磁石を収容できる中空の収容溝を有し、また収容溝下方に開口部が形成されている。磁石は開口部から収容溝に入り被覆体の収容溝内に固設されている。よって、好ましい組立の安定性及び一体化の質感を有し、磁石の第１面は車窓の周縁表面に安定的に吸着し固定される。また該被覆体の頂面がサンシェード本体の金属枠と吸着して組み立てることに用いられる。
【００１３】
好しくは、該マグネット部材は、滑りとめ片を更に含む。該滑りとめ片は、厚さが被覆体の頂面の厚さを下回り、第１面に対応する磁石表面に固設されている。磁石の第１面が滑りとめ片を通じて車窓の周縁表面と吸着して接合可能である。また滑りとめ片により磁石が吸着した後移動しないことを確保することができ、磁石表面により車体への傷つけを防止することができる。また滑りとめ片の厚さが被覆体の頂面の厚さを下回るため、被覆体の頂面の第２面の位置とサンシェード本体との吸着力は、磁石の第１面の滑りとめ片と車窓の周縁表面との吸着力より小さくなり、サンシェード本体を取り付け或いは取り外す時、マグネット部材は車窓の周縁表面上に位置している状態を保持することができる。
【００１４】
好しくは、該滑りとめ片は、磁石の表面および被覆体の側面底部に同時に接合可能であり、収容溝の開口部に密着可能である。そのため、好ましい組立の安定性を有し、且つ組み立てた後の外観が完全に磁石を被覆することができることで好ましい一体化性を有する。
【図面の簡単な説明】
【００１５】
【図１】本考案の一実施形態によるカーサンシェードを示す分解図である。
【図２】本考案の一実施形態によるカーサンシェードのマグネット部材を示す分解図である。
【図３】本考案の一実施形態によるカーサンシェードのマグネット部材を示す断面図である。
【図４】本考案一実施形態によるカーサンシェードを車窓に組み立てた状態を示す図である。
【図５】図４のＡ−Ａ線断面図である。
【考案を実施するための形態】
【００１６】
（一実施形態）
図１乃至図３を参照しながら説明する。本考案は、サンシェード本体１と複数のマグネット部材２とを含み、前記サンシェード本体１が環状金属枠１１を備え、金属枠１１に日よけメッシュ１２を構設している。
【００１７】
マグネット部材２は、磁石２１と被覆体２２と滑りとめ片２３とを含む。該被覆体２２は、蓋状体で、頂面２２１を備え、頂面２２１の周縁から下方へ向かって延伸する側面２２２を有し、下方が磁石２１を収容できる中空収容溝２２３を備え、また収容溝２２３下方が開口部２２４を有し、磁石２１が開口部２２４から置き入れて被覆体２２の収容溝２２３内に固設させることで、好ましい組立の安定性及び一体化の質感を持たせる。また被覆体２２の側面２２２は誘導傾斜角度を有し、該側面２２２がサンシェード本体１の金属枠１１と遮覆体２２の頂面２２１位置に吸着させる便宜が図られる。該滑りとめ片２３の厚さは、被覆体２２の頂面２２１の厚さを下回り、第１面２４に対応する磁石２１表面に固設され、マグネット部材２の滑りとめ片２３に対応する一側に吸着力が比較的強い第１面２４を形成させ、被覆体２２の頂面２２１に対応する位置に吸着力が第１面２４より小さい第２面２５を形成させる。また該滑りとめ片２３は、同時に磁石２１と被覆体２２の側面２２２底部と接合でき、収容溝２２３の開口部２２４に密着できるため、好ましい組立の安定性を持ち、且つ組み立てた後の外観が完全に磁石２１を被覆できることで好ましい組立の一体化性を有することができる。
【００１８】
図４、図５を参照しながら説明する。本考案の取り付ける時該各マグネット部材２の吸着力が比較的強い第１面２４は、車窓３の周縁表面３１の適切な位置と安定的に吸着して定位でき、且つ接着剤の使用が必要とすることなく固定できるため、好ましい取り付けの利便性を持ち、車体表面を破損することはない。また該滑りとめ片２３は、滑り止めることでマグネット部材２の移動を防止できる以外に、磁石２１表面により車体に傷つけを防止できる効果を有する。該サンシェード本体１の金属枠１１は、マグネット部材２の第２面２５と吸着することで車窓３位置に定位して日除け効果を奏す。該側面２２２は、誘導傾斜角度設計を備え、金属枠１１がマグネット部材２の第２面２５と吸着することで吸着や組み立ての利便性という効果を高めることができる。
【００１９】
本考案は、サンシェード本体１とマグネット部材２の第２面２５の吸着力がマグネット部材２の第１面２４と車窓３の周縁表面３１の吸着力より小さいため、夜間或いはその他の状態でサンシェード本体１を取り外した時該マグネット部材２は、やはり車窓３の周縁表面３１と安定的に吸着でき、サンシェード本体１と伴って取り出すことはなく、サンシェード本体１の取り付け及び取り外しの利便性を有することができる。
【００２０】
本考案のマグネット部材２は、接着剤を介して車体上に定位する必要がないため、利用者がマグネット部材２を取り外してその他の車体上に取り付けて使用でき、好ましい適用性を持つことができる。また本考案のサンシェード本体１の金属枠１１にマグネット部材２を組み立てないため、該サンシェード本体１の金属枠１１を湾曲して折畳むことができ、且つ収納体積を減らして好ましい収納の利便性を持つことができる。
【００２１】
このほかに、本考案のマグネット部材２は、滑りとめ片２３を設けていないでも本考案の主なアピールを有する。マグネット部材２は、安定的に車窓の周縁表面上に定位でき、且つサンシェード本体１を取り外した時マグネット部材２が車窓３の周縁表面３１から外さない機能を有する。また該被覆体２２は、必ず蓋状体の形状とするわけではなく、適切な厚さの片状体として磁石表面に直接固設できる。前記実施例は、あくまでも本考案の技術内容を明らかにするものであって、そのような具体例にのみ限定して狭義に解釈されるべきものではなく、本考案の精神から離れることなく種々の変更及び改変を為し得ることは、本考案の範囲に含めるものであるのが勿論である。
【符号の説明】
【００２２】
１  サンシェード本体、
１１  金属枠、
１２  日よけメッシュ、
２  マグネット部材、
２１  磁石、
２２  被覆体、
２２１  頂面、
２２２  側面、
２２３  収容溝、
２２４  開口部、
２３  滑りとめ片、
２４  第１面、
２５  第２面、
３  車窓、
３１  周縁表面。
【図１】
0003192197.tif 000003
【図２】
0003192197.tif 000004
【図３】
0003192197.tif 000005
【図４】
0003192197.tif 000006
【図５】
0003192197.tif 000007